(57)【要約】      （修正有）【課題】自動化した場合でも雄ねじの傾きを防いで適正な螺着状態を維持しながら締め付けでき、締め込み時に雄ねじと雌ねじとの圧接状態を均等に確保しながら雌ねじの鋼の一部を移動形成させ、鋼と雄ねじのフランク面とで両側の摩擦係数を十分に発生させながら雄ねじを圧接保持させ、薄板材料強固に締め込みでき、小ねじの調整ねじとしても利用できる上に、安価に量産できる緩み止めねじを提供する。【解決手段】雄ねじ１の進み側のフランク面３より反対側のフランク面４の傾斜角度を小さくして当該フランク面４に対向する雌ねじのフランク面５との間に肉逃げ空間を形成し、この肉逃げ空間側の雄ねじのフランク面４の谷径側近傍位置８に突起状の偏角部９を設けると共に、雄ねじ１のねじ込み側先端に弧状三角形断面を呈する案内部２０を先細りテーパ形態に形成した。【選択図】図１
0003172754.tif 000002
【実用新案登録請求の範囲】
【請求項１】
被取付品の凹み位置に設けた雌ねじに、弧状三角形断面を呈する雄ねじをねじ込む際に、雄ねじが案内されながら緩み止め機能を発揮するガイド性能を有する緩み止めねじであって、前記雄ねじの進み側のフランク面より反対側のフランク面の傾斜角度を小さくして当該フランク面に対向する雌ねじのフランク面との間に肉逃げ空間を形成し、この肉逃げ空間側の雄ねじのフランク面の谷径側近傍位置に突起状の偏角部を設けると共に、前記雄ねじのねじ込み側先端に弧状三角形断面を呈する案内部を先細りテーパ形態に形成したことを特徴とするガイド性能を有する緩み止めねじ。
【請求項２】
前記案内部に設けた弧状三角形断面は、前記雄ねじの弧状三角形断面と相似形である請求項１に記載のガイド性能を有する緩み止めねじ。
【請求項３】
前記案内部の先端に円錐突部を設けた請求項１又は２に記載のガイド性能を有する緩み止めねじ。
【請求項４】
被取付品の凹み位置に設けた雌ねじに、弧状三角形断面を呈する雄ねじをねじ込む際に、雄ねじが案内されながら緩み止め機能を発揮するガイド性能を有する緩み止めねじであって、前記雄ねじの進み側のフランク面より反対側のフランク面の傾斜角度を小さくして当該フランク面に対向する雌ねじのフランク面との間に肉逃げ空間を形成し、この肉逃げ空間側の雄ねじのフランク面の谷径側近傍位置に突起状の偏角部を設けると共に、前記雄ねじのねじ込み側先端に前記雌ねじの呼び径に適応させたガイド径部を介して先端側に円錐形状のガイド部を連設させたことを特徴とするガイド性能を有する緩み止めねじ。
【請求項５】
前記雄ねじの頭部面に工具係合溝と識別表示部を形成した請求項１乃至４の何れか１項に記載のガイド性能を有する緩み止めねじ。
【考案の詳細な説明】
【技術分野】
【０００１】
本考案は、雄ねじを雌ねじに締め込んで調整ねじとして或は締付けねじとして用いる緩み止めねじに関し、特に、例えば、Ｍ２ｍｍ以下の小さな雄ねじに好適であって、雄ねじと雌ねじに案内するガイド性能を有する緩み止めねじに関する。
【背景技術】
【０００２】
近時、カーオーディオ、パーソナルコンピュータ、映像ビジュアルまたは携帯電話などの製品は、軽くて薄いものが主流になっており、この種の製品には、相手側の締め付け材として薄板材料が用いられるため、Ｍ２ｍｍ以下などの小さい雄ねじによる締付けが必要になることも多い。この場合、相手側の締め付け材に対して、一山のねじ山分の引っ掛かりで固定することも多く、その際にも雄ねじと雌ねじとの螺合時における強固な緩み止めが要求されている。
【０００３】
この要求に対して、本出願人は、特許文献１の緩み止めねじを既に出願している。この緩み止めねじは、雄ねじの進み側との反対側の雄ねじと雌ねじのフランク面同士の間に肉逃げ空間と、この肉逃げ空間の雄ねじ側フランク面に突起状の偏角部を有し、雄ねじのねじ込み時に偏角部で雌ねじのねじ山内径側近傍に肉部を肉逃げ空間に移動形成し、この雌ねじの肉部のフランク面と雌ねじの他方のフランク面の両面で雄ねじを圧接保持することでねじの緩み止め機能を高めている。
【０００４】
ところで、通常止めねじの締め付け側の挿入穴の口径は、雌ねじよりも大径であることから、特に、薄板材料を締め付ける場合には、雄ねじが雌ねじの軸線に対して傾いた状態で挿入され、雄ねじが雌ねじに対して斜めにねじ止めされるおそれが高い。これを防ぐため、特許文献２ではおねじ部の先端にめねじ部に差し込まれて垂直に案内する円柱状部が設けられ、この円柱状部の先端に挿通孔の位置ずれを修正するテーパ状部が設けられている。
また、雄ねじのボルト円筒部を一般的なねじよりも太く形成し、雄ねじを雌ねじにねじ込んだときにこのボルト円筒部と、締付け用の部材に形成された取付け用穴との間の隙間を小さくすることで雌ねじの内径側に雄ねじを誘いこむようにしたものが知られている。
【先行技術文献】
【特許文献】
【０００５】
【特許文献１】特許第４５１２６６６号公報
【特許文献２】実開昭６２−３７６１３号公報
【考案の概要】
【考案が解決しようとする課題】
【０００６】
近年においては、上記の薄板材料で設けられる小型の製品でも自動化による製作が望まれており、Ｍ２以下の小さいねじの締め付けにも自動化が求められている。この場合、特許文献１の緩み止めねじの締め付けを自動化するときには、雄ねじを雌ねじの位置に合わせつつ、雄ねじの取付け側に頭部装着用の凹みがある場合でも、雄ねじが傾くことのないように締め付ける必要がある。
特許文献２の固定用小ねじでは、挿通孔の位置ずれを修正しておねじを垂直に案内可能に設けているが、この小ねじは自動化による高速化に対応したものではなく、しかも、一般的な断面形状の雄ねじと雌ねじとによる螺着であるため、薄板材料同士を緩み止めしながら固定することが難しい。
また、雄ねじのボルト円筒部を一般的なねじよりも太く形成した場合、このねじを製造するための金型が高額になり、製造する機械も限定され、ねじ自体も高額になる。
【０００７】
本考案は、上記の実情に鑑みて、鋭意検討の結果、開発に至ったものであり、その目的とするところは、自動化した場合でも雄ねじの傾きを防いで適正な螺着状態を維持しながら確実に締め付けでき、締め込み時には雄ねじと雌ねじとの圧接状態を均等に確保しながら雌ねじの鋼の一部を移動形成させ、この鋼と雄ねじのフランク面とで両側の摩擦係数を十分に発生させながら雄ねじを圧接保持させ、緩み止めを防ぎながら強固に薄板材料を締め込みでき、小ねじの調整ねじとしても利用できるうえに温度変化や絞め付け作業にも柔軟に対応できると共に、機械工程により安価に量産することができる緩み止めねじを提供することにある。
【課題を解決するための手段】
【０００８】
上記目的を達成するために、請求項１に係る考案は、被取付品の凹み位置に設けた雌ねじに、弧状三角形断面を呈する雄ねじをねじ込む際に、雄ねじが案内されながら緩み止め機能を発揮するガイド性能を有する緩み止めねじであって、雄ねじの進み側のフランク面より反対側のフランク面の傾斜角度を小さくして当該フランク面に対向する雌ねじのフランク面との間に肉逃げ空間を形成し、この肉逃げ空間側の雄ねじのフランク面の谷径側近傍位置に突起状の偏角部を設けると共に、雄ねじのねじ込み側先端に弧状三角形断面を呈する案内部を先細りテーパ形態に形成したガイド性能を有する緩み止めねじである。
【０００９】
請求項２に係る考案は、案内部に設けた弧状三角形断面は、雄ねじの弧状三角形断面と相似形であるガイド性能を有する緩み止めねじである。
【００１０】
請求項３に係る考案は、案内部の先端に円錐突部を設けたガイド性能を有する緩み止めねじである。
【００１１】
請求項４に係る考案は、被取付品の凹み位置に設けた雌ねじに、弧状三角形断面を呈する雄ねじをねじ込む際に、雄ねじが案内されながら緩み止め機能を発揮するガイド性能を有する緩み止めねじであって、雄ねじの進み側のフランク面より反対側のフランク面の傾斜角度を小さくして当該フランク面に対向する雌ねじのフランク面との間に肉逃げ空間を形成し、この肉逃げ空間側の雄ねじのフランク面の谷径側近傍位置に突起状の偏角部を設けると共に、雄ねじのねじ込み側先端に雌ねじの呼び径に適応させたガイド径部を介して先端側に円錐形状のガイド部を連設させたガイド性能を有する緩み止めねじである。
【００１２】
請求項５に係る考案は、雄ねじの頭部面に工具係合溝と識別表示部を形成したガイド性能を有する緩み止めねじである。
【考案の効果】
【００１３】
請求項１に係る考案によると、ねじ込み側先端に形成した案内部を介して傾きを防ぎながら雌ねじに雄ねじを挿入させ、締付けの開始時から雌ねじの内径側に雄ねじの先端側を連続的にホールドして適正な螺着状態を確保しながら締め付けでき、被取付品が薄板材料である場合にも、雌ねじや被取付品を破壊したり喰い付き現象を発生させることなくガイド性能を発揮させながら正確に調芯しながら締付けできる。これにより、ねじの締付けを自動化した場合でも、雄ねじと雌ねじとの圧接状態を強くかつ均等に確保しながら雌ねじの鋼の一部を移動形成させ、通常の雌ねじとの嵌合差をなくして摩擦係数を発生させ、雄ねじと雌ねじとの嵌合差に左右されることなく鋼と雄ねじのフランク面とで両側の摩擦係数を十分に発生させながら雄ねじを圧接保持して締め込み、締め込み完了後の瞬間戻しトルクを増大させることができ、もって、ねじの緩み止め機能を有効に発揮できる。このとき雄ねじに加わる軸力に影響を及ぼすことなく、相手締付け材に対しても柔軟な締付け作業が可能となり、また、ねじを締め切らない調整ねじとして用いる場合にもねじ山部分に緩み止め機能が発揮され、しかも、機械的な加工手段により安価に量産に供することができる緩み止めねじを得ることができる。
【００１４】
請求項２に係る考案によると、案内部の弧状三角形断面が雄ねじの弧状三角形断面と相似形であることにより、案内部を介して雄ねじを確実に雌ねじまで案内し、締付け開始時に雄ねじの先端側を雌ねじの内径側にホールドした状態で正確な調芯状態を確保しながら締め込みを開始できる。
【００１５】
請求項３に係る考案によると、円錐突部により案内部を雌ねじに案内し、案内部を介して雄ねじを確実に雌ねじまで案内でき、被取付品や雌ねじに対して雄ねじを傾けることなく正確な螺合状態で締付けできる。
【００１６】
請求項４に係る考案によると、ねじ込み側先端に形成したガイド部とガイド径部とを介して傾きを防ぎながら雌ねじに雄ねじを挿入させ、締付けの開始時から雌ねじの内径側に雄ねじの先端側を調芯させて適正な螺着状態を確保しながら締め付けでき、被取付品が薄板材料である場合にも、雌ねじやこの被取付品を破壊したり喰い付き現象を発生させることなくガイド性能を発揮させながら正確に締付けできる。これにより、ねじの締付けを自動化した場合でも、雄ねじと雌ねじとの圧接状態を強くかつ均等に確保しながら雌ねじの鋼の一部を移動形成させ、通常の雌ねじとの嵌合差をなくして摩擦係数を発生させ、雄ねじと雌ねじとの嵌合差に左右されることなく鋼と雄ねじのフランク面とで両側の摩擦係数を十分に発生させながら雄ねじを圧接保持して締め込み、締め込み完了後の瞬間戻しトルクを増大させることができ、もって、ねじの緩み止め機能を有効に発揮できる。このとき雄ねじに加わる軸力に影響を及ぼすことなく、相手締付け材に対しても柔軟な締付け作業が可能となり、また、ねじを締め切らない調整ねじとして用いる場合にもねじ山部分に緩み止め機能が発揮され、しかも、機械的な加工手段により安価に量産に供することができる緩み止めねじを得ることができる。
【００１７】
請求項５に係る考案によると、工具係合溝を介して工具で雄ねじを締付けたり緩めることで着脱でき、識別表示部を介してねじ種を識別したり、或は、雄ねじの真贋を識別できる。
【図面の簡単な説明】
【００１８】
【図１】本考案におけるガイド性能を有する緩み防止ねじの第１実施形態を示した断面図である。
【図２】図１の緩み防止ねじを雌ねじにねじ込んだ初期時の状態を示した断面図である。
【図３】図２のａ部拡大断面図である。
【図４】図３のねじがねじ込まれて雌ねじが移動されて肉逃げ空間へ移動されてゆく状態を示した拡大断面図である。
【図５】図２のねじの横断面形態を示した説明図である。
【図６】図１の緩み防止ねじのねじ込み完了後の状態を示した断面図である。
【図７】図６のｂ部拡大断面図である。
【図８】図７のねじの横断面形態を示した説明図である。
【図９】本考案における緩み止めねじを説明するためのねじ込み前の模式図である。
【図１０】図９のねじ込み状態を示した模式図である。
【図１１】（ａ）は、頭部面の一例を示す平面図である。（ｂ）は、頭部面の他例を示す平面図である。
【図１２】本考案におけるガイド性能を有する緩み防止ねじの第２実施形態を示した断面図である。
【図１３】図１２の緩み防止ねじを雌ねじにねじ込んだ初期時の状態を示した断面図である。
【図１４】図１３のねじの横断面形態を示した説明図である。
【図１５】図１２の緩み防止ねじのねじ込み完了後の状態を示した断面図である。
【考案を実施するための形態】
【００１９】
以下に、本考案におけるガイド性能を有する緩み止めねじの実施形態を図面に従って詳述する。図１においては、本考案における緩み防止ねじの第１実施形態を示し、緩み防止ねじを雌ねじに挿入するときの状態を示している。
【００２０】
本例における雄ねじ１は、例えば、Ｍ２ｍｍ以下の小ねじに好適であり、相手締め付け側である被取付品３０の凹み３１の位置に設けられた雌ねじ２は、ＪＩＳ及びＩＳＯ規格の雌ねじであり、本例において、雌ねじ２の肉部２ａは、鋼で成形されている。図５に示すように、雄ねじ１は弧状三角形断面を呈しており、この雄ねじ１をねじ込む際に三角形状の三点の頂点が対応する雌ねじ２の谷径に喰い込み、雌ねじ２との嵌合差に影響されることなく対応でき、雄ねじ１を雌ねじ２に絞め込んだとき、温度特性を重視する緩みトルクやねじ山部分の途中を使用する調整ねじとして用いられる場合も安定した緩み止め効果が得られ、また、柔軟な締付け作業も得られる構造である。
雄ねじ１と雌ねじ２との締付けにより、被取付品３０に適宜の薄板材料からなる取付品１５が固着される。雄ねじ１は、例えば電動ドライバなどを用いて自動化により雌ねじ２に締め付けられる。
【００２１】
雄ねじ１は、転造加工による製造過程において、転造金型を本考案における雄ねじ形態にすることにより、通常の製造機械で製品化することができ、コスト面も有効であり、化学薬品などを使用している通常の工法と異なり、地球環境にやさしい、緩み止め機能を有する雄ねじ１を得ることができる。また、雄ねじ１は、鋼等の金属製であり、この雄ねじ１に熱処理を施すことによって、ねじ山部分により高強度な緩み止め効果をもたらすことができる。
【００２２】
図９、図１０において、雄ねじ１は、進み側のフランク面３のフランク角θ２に対して反対側のフランク面４のフランク角θ１が小さく形成され、当該反対側のフランク面４に対向する雌ねじ２のフランク面５との間に肉逃げ空間７が形成され、この肉逃げ空間７側の雄ねじ１のフランク面４の谷径側近傍位置８に突起状の偏角部９が設けられている。本例では、フランク角θ２は３０°であり、反対側のフランク角θ１は２５°であり、偏角部９の角度θ３は、３８°である。図９中、雌ねじ２のフランク面５、６のフランク角θ４、θ５は、それぞれ３０°、３０°となる６０°のねじ山角度を有する通常の雌ねじである。図３中、６は雌ねじ２のフランク面５の反対側のフランク面であり、図５中、ｉは、仮想円であり、図１０におけるＳは、雄ねじ１の山頂側１ａのシールポイントである。
【００２３】
また、本例における雄ねじ１のフランク面４の谷径側近傍位置８は、フランク面４の谷径部位１０に設けられている。
更に、雄ねじ１は、締め付け用のねじとして用いる場合は、頭部１１が設けられ、この頭部１１の頭部面１１ａには、図１１（ａ）に示すように、ドライバ等の工具係合用の工具係合溝１２、識別用の識別表示部１３が形成されている。識別表示部１３は、例えば図に示す渦巻きの突起部状に設けられ、この識別表示部１３を外部から視認することで雄ねじ１を他の一般のねじと識別できる。識別表示部１３を形成する場合、例えば、０．１ｍｍ程度の高さに加工すればよい。
【００２４】
図１１（ｂ）に示すように、頭部面１１ａに４個の半球形状からなる深さ０．１ｍｍ程度の溝状の識別表示部１４を形成してもよい。さらに識別表示部を図示しない別の形状に設けるようにしてもよい。何れの場合にも、識別表示部を突起状、或は溝状の各種形状に設けることができ、識別表示部を外部から視認することで雄ねじ１を一般用のねじと識別したり、或は、ねじの真贋を識別できる。
【００２５】
図１、図２に示すように、雄ねじ１のねじ込み側先端には、弧状三角形断面を呈する案内部２０が先細りテーパ形態に形成されている。案内部２０に設けた弧状三角形断面は、雄ねじ１の弧状三角形断面と相似形になっている。更に、図１において、案内部２０の先端には、二点鎖線に示した円錐突部２１を形成してもよい。
【００２６】
前記取付品１５は、雄ねじ締付け用の貫通孔１６を有し、この貫通孔１６の入口側に凹状部１７、締付け部材２への取付け側に環状突部１８が形成されている。凹状部１７は、頭部１１の高さよりも深く形成され、緩み止めねじを締め込んだときに頭部１１が取付品１５の表面よりも突出しないようになっている。環状突部１８は、凹み３１に嵌入され、雌ねじ２と取付品１５とを位置決め可能な径に突出形成されている。
【００２７】
図１において、環状突部１８を凹み３１に嵌入した状態で雄ねじ１を雌ねじ２に挿入すると、この雄ねじ１の案内部２０が案内されながら雌ねじ２の中心側に自動的に誘い込まれて、雄ねじ１が雌ねじ２に対して調芯された状態になる。このとき円錐突部２１を設けている場合には、この円錐突部２１が雌ねじ２の入口側を滑るように案内されるため、よりスムーズかつ確実に雌ねじ２に雄ねじ１が調芯されながら案内される。
【００２８】
この状態から雄ねじ１の絞め込みを開始すると、図２に示すように、雄ねじ１に螺合する方向への軸力が加わり、雄ねじ１側の偏角部９を付けたねじのリード角によって雌ねじ２の鋼２ａが肉逃げ空間７に移動し、その結果、雄ねじ１と雌ねじ２の両側フランク面５、６がホールディング（圧接保持）される。
【００２９】
この場合、相手側である雌ねじ２の下穴径が小さくなった場合は、雌ねじ２の鋼２ａは、雄ねじ１の肉逃げ空間７に移動形成されると共に、雄ねじ１の弧状三角形断面の底辺にも移動されるため円滑に絞め込みができ、また、雌ねじ２の下穴径が大きくなった場合には、雌ねじ２の鋼２ａは雄ねじ１の肉逃げ空間７に移動する。これらを雄ねじ１と雌ねじ２に完全に絞め付けた場合には、図２において、雄ねじ１と雌ねじ２のねじの縦方向と横方向への摩擦係数が両者に加わり、強力な緩みトルクが得られる。
【００３０】
図３における雌ねじ２の挿入時における雄ねじ１の締込み初期において、雄ねじ１の偏角部９が雌ねじ２のフランク面５に対して圧接し始め、雄ねじ１のフランク面３は雌ねじ２のフランク面６を圧接している。
【００３１】
次いで、雄ねじ１を雌ねじ２にねじ込んでいくと、図４に示すように雄ねじ１の偏角部９が雌ねじ２のねじ山の内径側近傍位置の鋼２ａを移動形成して鋼２ａが肉逃げ空間７へ移動し、この移動形成された鋼２ａのフランク面と雄ねじ１のフランク面４とが圧接し、結果的に雌ねじ２の両者のフランク面５、６で雄ねじ１を圧接保持する。同図において、雌ねじ２の上下のフランク面５、６で雄ねじ１を圧接しており、このとき図５において、雄ねじ１の山頂側１ａが圧接部分に位置している。
【００３２】
次に、雌ねじ２の鋼２ａが移動形成された後に、雌ねじ２の移動された鋼２ａが肉逃げ空間７側の雄ねじ１のフランク面に圧接されて摩擦係数を発生させる。雄ねじ１を雌ねじ２にねじ込んでいく際に、移動形成された鋼２ａのフランク面と雄ねじ１のフランク面４とが圧接状態でねじ込まれる。このようにしてねじ込みを完了した状態を図６に示しており、図７には図６の部分拡大図を示している。図７の雄ねじ１においては、図８の三角形断面の底辺１ｂ側を示している。
【００３３】
この場合、図６に示したように雄ねじ１と雌ねじ２に完全に締め込まれなくても、雌ねじ２のフランク面５、６を確実に雄ねじ１が圧接し、摩擦係数が発生するので、雄ねじ１の緩み止め機能が有効に発揮されて緩み止め状態を保持する。
【００３４】
前述したように、本考案のガイド性能を有する緩み止めねじは、雄ねじ１の先端側に案内部２０が形成され、この雄ねじ１を雌ねじ２にねじ込む際に、案内部２０を雌ねじ２の中心側に誘い込んで雄ねじ１が雌ねじ２に調芯されながら案内されるので、雄ねじ１が締め込まれる際に雌ねじ２に対して多少の中心ずれが生じている場合にも、自動的に調芯されて同芯状態で雌ねじ２に誘い込まれる。
【００３５】
これにより、雄ねじ１を雌ねじ２に締付ける際において、取付品１５が薄板材料であり、しかもこの薄板材料１５に頭部１１収納用の凹状部１７が形成されている場合でも、雄ねじ１と雌ねじ２とを自然に調芯し、雄ねじ１の斜めの傾きを防ぎながら締付けをおこなえる。このため、雌ねじ２や被取付品３０、取付品１５が損傷したり、雌ねじ２の破壊による喰い付き現象を防ぎ、ロボットの電動ドライバなどにより自動締付けをおこなう場合にも、目視による締付け確認を必要とすることなく安定した正確な締付け作業が可能となる。このとき頭部１１は、凹状部１７に確実に収納される。
【００３６】
このように、案内部２０を介して雌ねじ２と雄ねじ１とを調芯して正確に螺着できることで、前記雌ねじ２と雄ねじ１との圧接保持機能が圧接面に対して均等に作用するため、Ｍ２以下の小ねじを用いて高速の電動ドライバ等で自動化により薄板材料１５を締付ける場合にも、効率良くねじの緩み止め作用を機能させながら締付けできる。
【００３７】
図１２ないし図１５においては、本考案のガイド性能を有する緩み止めねじの第２実施形態を示している。なお、この実施形態において、上記実施形態と同一箇所は同一符号によって表し、その説明を省略する。
この実施形態においては、図１２、図１４に示すように、雄ねじ１のねじ込み先端に雌ねじ２の呼び径に適応させた円柱形状のガイド径部２５を設け、このガイド径部２５を介して先端側に円錐形状のガイド部２６を連設させたものである。
【００３８】
雄ねじ１を雌ねじ２に挿入したときには、図１２に示すように円錐状案内部２５を介して雄ねじ１が雌ねじ２の中心側に誘い込まれて調芯された状態で案内される。続いて、雄ねじ１を締め付けると、図１３、図１５に示すように、第１実施形態と同様に偏角部９で圧接した雌ねじ２のねじ山内径側近傍位置の肉部２ａを肉逃げ空間８に移動形成し、この移動形成した雌ねじの肉部２ａのフランク面と雌ねじの他方のフランク面５、６の両面で雄ねじ２を圧接保持させてねじの緩みを防ぐことができる。
【００３９】
この場合、ガイド径部２５を雌ねじ２の内径よりもやや小径に設けることで、ガイド部２６が雌ねじ２の中心側に誘い込まれた後にガイド径部２５が雌ねじ内径に遊嵌し、このガイド径部２５がガイド機能を発揮して雄ねじ１を雌ねじ２に調芯させて適正な螺着状態にしながら緩み止め機能を確実に発揮させて螺着を完了できる。
【符号の説明】
【００４０】
１  雄ねじ
２  雌ねじ
２ａ  雌ねじの肉部（鋼）
３  雄ねじの進み側フランク面
４  反対側のフランク面
５  雌ねじの空間側のフランク面
６  雌ねじの反対側のフランク面
７  肉逃げ空間
８  谷径側近傍位置
９  偏角部
１０  谷径部位
１１  頭部
１１ａ  頭部面
１２  工具係合溝
１３、１４  識別表示部
２０  案内部
２１  円錐突部
２５  ガイド径部
２６  ガイド部
３０  被取付品
３１  凹み
【図１】
0003172754.tif 000003
【図２】
0003172754.tif 000004
【図３】
0003172754.tif 000005
【図４】
0003172754.tif 000006
【図５】
0003172754.tif 000007
【図６】
0003172754.tif 000008
【図７】
0003172754.tif 000009
【図８】
0003172754.tif 000010
【図９】
0003172754.tif 000011
【図１０】
0003172754.tif 000012
【図１１】
0003172754.tif 000013
【図１２】
0003172754.tif 000014
【図１３】
0003172754.tif 000015
【図１４】
0003172754.tif 000016
【図１５】
0003172754.tif 000017